(57)【要約】【課題】バックライトから光が照射される各液晶パネルの受光面の一部分が重なるように各液晶パネルが相対的にずらされて配置される液晶表示装置において、光源から遠い方の液晶パネルの輝度ムラを解消する。【解決手段】サイドライト型バックライト１０が備える導光板１１の両面に第１液晶パネル２０と第２液晶パネル３０とが配置され、第１液晶パネル２０の受光面２１の一部分２１ａと第２液晶パネル３０の受光面３１の一部分３１ａとが重なるように各液晶パネルが相対的にずらされて配置されている液晶表示装置において、光源から遠い方に配置される一方の液晶パネル３０の上記一部分３１ａ以外の受光面と対向する導光板１１の反光出射面側に光吸収特性を有する裏地材４５ａを設ける。【選択図】図１
2007178479.tif 000002
【特許請求の範囲】
【請求項１】
導光板の側方に光源が配置されているサイドライト型バックライトと、上記導光板の一方の面側に配置される第１液晶パネルと、上記導光板の他方の面側に配置される第２液晶パネルとを含み、上記バックライトから光が照射される上記第１液晶パネルの受光面の一部分と上記第２液晶パネルの受光面の一部分とが重なるように上記各液晶パネルが相対的にずらされて配置されている液晶表示装置において、
上記光源から遠い方に配置される上記一方の液晶パネルの上記一部分以外の受光面と対向する上記導光板の反光出射面側に、光吸収特性を有する裏地材が設けられていることを特徴とする液晶表示装置。
【請求項２】
上記裏地材として黒色テープが用いられる請求項１に記載の液晶表示装置。
【請求項３】
上記光源に近い方に配置される上記他方の液晶パネルが光吸収特性を有する両面粘着テープを介して上記導光板に貼着され、上記両面粘着テープに上記裏地材が一体に連設されている請求項１または２に記載の液晶表示装置。
【発明の詳細な説明】
【技術分野】
【０００１】
本発明は、サイドライト型バックライトの導光板の両面に液晶パネルが配置されている液晶表示装置に関し、さらに詳しく言えば、バックライトから光が照射される各液晶パネルの受光面の一部分が重なるように各液晶パネルが相対的にずらされて配置される場合において、光源から遠い方の液晶パネルの輝度ムラを解消する技術に関するものである。
【背景技術】
【０００２】
携帯電話機を例にして説明すると、近年の折り畳み式携帯電話機の多くは、その蓋側筐体の内面と外面とにそれぞれ表示パネルを備えており、通常、内面側の表示パネルは画面サイズが大きいことからメインパネルと呼ばれ、これに対して外面側の表示パネルは画面サイズが小さいことからサブパネルと呼ばれている。
【０００３】
多くの場合、これらメインパネルとサブパネルには、暗い場所でも明るい表示が得られるように、照明手段としてのバックライトにより光が照射される半透過型や透過型の液晶パネルが用いられるが、機器の薄型化および小型化を図るため、メインパネルとサブパネルとでバックライトを共用するようにしている（例えば、特許文献１参照）。
【０００４】
その一般的な構成例（第１従来例）を図２により説明すると、この種の液晶表示装置では、バックライト１０として、導光板１１の光入射用の端面に光源である発光ダイオード１２を配置してなるサイドライト型のバックライトが用いられ、導光板１１の一方の面１１ａ側に画面サイズの大きなメインパネル２０が配置され、導光板１１の他方の面１１ｂ側に画面サイズの小さなサブパネル３０が配置される。
【０００５】
メインパネル２０およびサブパネル３０はともに、半透過型もしくは透過型の液晶パネルで、メインパネル２０は、その表示部の受光面２１に対応する大きさの開口部４０ａを有する額縁状に形成された黒色の両面粘着テープからなる遮光テープ４０を介して導光板１１の一方の面１１ａに貼着される。
【０００６】
同様に、サブパネル３０も、その表示部の受光面３１に対応する大きさの開口部５０ａを有する額縁状に形成された黒色の両面粘着テープからなる遮光テープ５０を介して導光板１１の他方の面１１ｂに貼着される。
【０００７】
これによれば、発光ダイオード１２からの光が、導光板１１を介してメインパネル２０とサブパネル３０とに照射されるため、導光板１１を共用して両パネル２０，３０ともに明るい表示が得られる。なお、導光板１１の他方の面１１ｂで、サブパネル３０以外の部分には、光漏れを防止するための光反射テープ４３が設けられる。
【０００８】
【特許文献１】特開２００５−７８８０２号公報
【発明の開示】
【発明が解決しようとする課題】
【０００９】
上記した図２の第１従来例の場合、メインパネル２０の受光面２１内にサブパネル３０の受光面３１が納まるように配置されているため、メインパネル２０およびサブパネル３０ともに、ほとんど輝度ムラのない明るい表示が得られる。
【００１０】
しかしながら、図３（ａ）に示す第２従来例のように、メインパネル２０とサブパネル３０とが大きくずれされて、メインパネル２０の受光面２１の上側の一部分２１ａと、サブパネル３０の受光面３１の下側の一部分３１ａとが重なるように配置される場合には、発光ダイオード１２から遠い方のパネル、この例ではサブパネル３０側に輝度ムラが生ずることがある。
【００１１】
このような場合、サブパネル３０は、上記第１従来例と同じく、黒色の両面粘着テープからなる遮光テープ５０を介して導光板１１の他方の面１１ｂに貼着されるとともに、この他方の面１１ｂの残余の部分には光反射テープ４３が設けられるが、メインパネル２０を導光板１１の一方の面１１ａに貼着する遮光テープ４０には、メインパネル２０側が黒色テープ４１で、導光板１１側が白色テープ４２である黒白の両面テープが用いられる。
【００１２】
図３（ｂ）の平面図に示すように、この２層テープからなる遮光テープ４０は、メインパネル２０の受光面２１に対応する大きさの開口部４０ａを有し、導光板１１の一方の面１１ａの全面にわたって貼着される。
【００１３】
これによれば、白色テープ４２にて導光板１１により導かれる光のより多くがサブパネル３０側に反射されるため、発光ダイオード１２から遠く離されているサブパネル３０の輝度を高めることができる。
【００１４】
しかしながら、メインパネル２０の受光面２１の上側の一部分２１ａと、サブパネル３０の受光面３１の下側の一部分３１ａとが位置的に重なっている重なり部分Ａには、白色テープ４２が存在せず、しかも重なり部分Ａでは、光がメインパネル２０側とサブパネル３０側とに振り分けられて照射され、その光量が低下するため、サブパネル３０の白色テープ５２がある部分Ｂと重なり部分Ａとでは輝度が異なり、これが原因でサブパネル３０に輝度ムラが生ずる。
【００１５】
したがって、本発明の課題は、バックライトから光が照射される各液晶パネルの受光面の一部分が重なるように各液晶パネルが相対的にずらされて配置される場合において、光源から遠い方の液晶パネルの輝度ムラを解消することにある。
【課題を解決するための手段】
【００１６】
上記課題を解決するため、本発明は、請求項１に記載されているように、導光板の側方に光源が配置されているサイドライト型バックライトと、上記導光板の一方の面側に配置される第１液晶パネルと、上記導光板の他方の面側に配置される第２液晶パネルとを含み、上記バックライトから光が照射される上記第１液晶パネルの受光面の一部分と上記第２液晶パネルの受光面の一部分とが重なるように上記各液晶パネルが相対的にずらされて配置されている液晶表示装置において、上記光源から遠い方に配置される上記一方の液晶パネルの上記一部分以外の受光面と対向する上記導光板の反光出射面側に、光吸収特性を有する裏地材が設けられていることを特徴としている。
【００１７】
本発明において、請求項２に記載されているように、上記裏地材として黒色テープが用いられることが好ましい。また、請求項３に記載されているように、上記光源に近い方に配置される上記他方の液晶パネルが光吸収特性を有する両面粘着テープを介して上記導光板に貼着され、上記両面粘着テープに上記裏地材が一体に連設されていることが好ましい。
【発明の効果】
【００１８】
本発明によれば、サイドライト型バックライトが備える導光板の両面に第１液晶パネルと第２液晶パネルとが配置され、第１液晶パネルの受光面の一部分と第２液晶パネルの受光面の一部分とが重なるように各液晶パネルが相対的にずらされて配置されている液晶表示装置において、光源から遠い方に配置される一方の液晶パネルの上記一部分以外の受光面と対向する導光板の反光出射面側に光吸収特性を有する裏地材を設けることにより、すなわち、上記第２従来例におけるサブパネルに対応する白色テープの部分を光吸収特性を有する裏地材とすることにより、光源から遠い方に配置される一方の液晶パネル（上記第２従来例におけるサブパネル）の輝度ムラを解消することができる。
【発明を実施するための最良の形態】
【００１９】
次に、図１により、本発明の実施形態について説明するが、本発明はこれに限定されるものではない。図１（ａ）は本発明による液晶表示装置の構成を一部断面として示す模式的な側面図，図１（ｂ）は本発明で用いられる遮光テープの一例を示す平面図である。なお、先に説明した従来例と変更を要しない構成要素には同じ参照符号を用いている。
【００２０】
図１（ａ）に示すように、本発明による液晶表示装置は、基本的な構成として、導光板１１の光入射用の端面に光源である発光ダイオード１２を配置してなるサイドライト型バックライト１０と、導光板１１の一方の面１１ａ側に配置される第１液晶パネル２０と、導光板１１の他方の面１１ｂ側に配置される第２液晶パネル３０とを備える。
【００２１】
第１液晶パネル２０と第２液晶パネル３０には、半透過型もしくは透過型の液晶パネルが用いられるが、この例においても、第１液晶パネル２０が画面サイズの大きなメインパネルで、これに対して第２液晶パネル３０が画面サイズの小さなサブパネルである。したがって、上記従来例と同じく、第１液晶パネルをメインパネル２０とし、第２液晶パネルをサブパネル３０として説明する。
【００２２】
本発明による液晶表示装置においても、図３（ａ）に示した上記第２従来例と同じく、メインパネル２０とサブパネル３０とが大きくずれされて、メインパネル２０の受光面２１の上側の一部分２１ａと、サブパネル３０の受光面３１の下側の一部分３１ａとが重なるように配置される。
【００２３】
なお、この例においても、上記第２従来例と同じく、メインパネル２０が発光ダイオード１２に近い方に配置され、サブパネル３０が発光ダイオード１２から遠い方に配置される。また、サブパネル３０において、この一部分２１ａ，３１ａ同士が位置的に重なり合っている部分を重なり部分Ａとし、それ以外の部分を非重なり部分Ｂとする。
【００２４】
サブパネル３０は、上記第２従来例でも説明したように、その表示部の受光面３１に対応する大きさの開口部５０ａを有する額縁状に形成された黒色の両面粘着テープからなる遮光テープ５０を介して導光板１１の他方の面１１ｂに貼着されるとともに、この他方の面１１ｂの残余の部分には、メインパネル２０に対する光反射テープ４３が設けられる。
【００２５】
メインパネル２０も、その表示部の受光面２１に対応する大きさの開口部４０ａを有する額縁状に形成された両面粘着テープからなる遮光テープ４０を介して導光板１１の一方の面１１ａに貼着されるが、この場合、遮光テープ４０には、光吸収特性を有する例えば黒色テープ４５が用いられる。
【００２６】
この例によると、黒色テープ４５は、図１（ｂ）に示すように、導光板１１の一方の面１１ａの全面にわたって貼着される大きさを有しており、したがって、導光板１１の一方の面１１ａのうちのサブパネル３０の非重なり部分Ｂと対向する面（この面を「導光板１１の非重なり部分Ｂと対向する裏面」という。）にも黒色テープ４５が配置される。
【００２７】
本発明において、導光板１１の非重なり部分Ｂと対向する裏面に配置される部材が、サブパネル３０の裏地材４５ａであり、この例では、メインパネル２０を導光板１１に貼着する黒色テープ４５に裏地材４５ａが一体に含まれていることになる。
【００２８】
このように、導光板１１の非重なり部分Ｂと対向する裏面に、黒色テープ４５からなる裏地材４５ａを配置することにより、上記第２従来例のように白色テープ４２を配置する場合に比べて、サブパネル３０の非重なり部分Ｂの輝度が低下するため、照射光量が低下している重なり部分Ａとの輝度差がほとんどなくなり、サブパネル３０の輝度ムラが解消される。
【００２９】
なお、生産性の観点からすれば、上記した例のように、メインパネル２０を導光板１１に貼着する黒色テープ４５に裏地材４５ａを一体に含ませることが好ましいが、メインパネル２０貼着用の黒色テープ４５（遮光テープ４０）をメインパネル２０を導光板１１に貼着するだけの大きさとし、これとは別に、導光板１１の非重なり部分Ｂと対向する裏面に光吸収特性を有する裏地材４５ａを配置するようにしてもよい。その場合、テープではなく塗料を塗布してもよい。色は黒色が好ましいが、光吸収特性を有する色であれば黒以外でもよい。
【００３０】
また、図１の例では、一方の液晶パネルを図面サイズの大きなメインパネル２０，他方の液晶パネルを図面サイズの小さなサブパネル３０としているが、２枚の液晶パネルの画面サイズは同じであってもよい。
【００３１】
さらに、メインパネル２０とサブパネル３０とが重複していない部分であって、光源から近い方に配置される液晶パネル（上記の例ではメインパネル２０）の受光面と対向する導光板の反光出射面側に、光吸収特性を有する裏地材を配設してもよい。
【図面の簡単な説明】
【００３２】
【図１】（ａ）本発明による液晶表示装置の構成を一部断面として示す模式的な側面図，（ｂ）本発明で用いられる遮光テープの一例を示す平面図。
【図２】第１従来例に係る液晶表示装置の構成を一部断面として示す模式的な側面図。
【図３】（ａ）第２従来例に係る液晶表示装置の構成を一部断面として示す模式的な側面図，（ｂ）第２従来例で用いられる遮光テープの一例を示す平面図。
【符号の説明】
【００３３】
１０  バックライト
１１  導光板
１２  発光ダイオード
２０  メインパネル
２１  受光面
３０  サブパネル
３１  受光面
４０，５０  遮光テープ
４５  黒色テープ
４５ａ  裏地材
Ａ  重なり部分
Ｂ  非重なり部分
【図１】
2007178479.tif 000003
【図２】
2007178479.tif 000004
【図３】
2007178479.tif 000005